(57)【要約】      （修正有）【課題】電池切れ等の場合でも、内蔵電池からの電力供給を受けて送信を行う場合と同じ周波数帯で応答信号を送信することが可能なアクティブタグ装置を含む無線通信システムを提供する。【解決手段】無線通信システムは、第１周波数帯で質問信号の後に電力供給用の電波を送信する質問器１００Ａと、前記電波の受信直前に受信した前記質問信号に対する応答信号を、前記第１周波数帯とは異なる第２周波数帯で、当該電波から得られる電力を用いて送信するアクティブタグ装置２００とを含む。【選択図】図３
2013118426.tif 000002
【特許請求の範囲】
【請求項１】
第１周波数帯で質問信号の後に電力供給用の電波を送信する質問器と、
前記電波の受信直前に受信した前記質問信号に対する応答信号を、前記第１周波数帯とは異なる第２周波数帯で、当該電波から得られる電力を用いて送信するアクティブタグ装置とを含む
ことを特徴とする無線通信システム。
【請求項２】
前記質問器は、
前記第１周波数帯用の第１送信アンテナと、
前記第１送信アンテナから前記質問信号と前記電波との連続送信を繰り返し行う第１送信制御手段とを備え、
前記アクティブタグ装置は、
前記第１周波数帯用の受信アンテナと、
前記第２周波数帯用の第２送信アンテナと、
供給される電力を用いて、前記受信アンテナで受信した前記質問信号に対する前記応答信号を前記第２送信アンテナから送信する第２送信制御手段と、
前記受信アンテナで受信した前記電波から得られる電力を前記第２送信制御手段に供給する電力供給手段とを備える
ことを特徴とする請求項１記載の無線通信システム。
【請求項３】
前記質問器の前記第１送信制御手段は、
前記連続送信を繰り返し行う第１モードと、前記第１送信アンテナから前記電波を送信することなく前記質問信号の送信を繰り返し行う第２モードとをユーザ操作に応じて切り替えることが可能であり、前記第１モードでは、前記質問信号及び前記電波を、前記第２モードで送信する前記質問信号のレベルよりも低いレベルで送信する
ことを特徴とする請求項２記載の無線通信システム。
【請求項４】
前記アクティブタグ装置は、
前記電力供給手段から供給される電力レベルに応じて、当該電力供給手段と内蔵電池とのうち、前記第２送信制御手段に電力を供給する供給元を選択するセレクタを備える
ことを特徴とする請求項３記載の無線通信システム。
【請求項５】
第１周波数帯用の受信アンテナと、
前記第１周波数帯とは異なる第２周波数帯用の送信アンテナと、
供給される電力を用いて、前記受信アンテナで受信した質問信号に対する応答信号を前記送信アンテナから送信する送信制御手段と、
前記受信アンテナで質問信号に続けて受信した電力供給用の電波から得られる電力を前記送信制御手段に供給する電力供給手段とを備える
ことを特徴とするアクティブタグ装置。
【発明の詳細な説明】
【技術分野】
【０００１】
本発明は、質問器と、質問器からの質問信号に呼応して応答信号を送信するアクティブタグ装置とを含む無線通信システムに関し、特に、アクティブタグ装置が、電池切れ等で通信ができなくなることを防止する技術に関する。
【背景技術】
【０００２】
質問器から送信されたＬＦ（Low Frequency）帯の質問信号を受信すると、内蔵電池からの電力を用いてＵＨＦ（Ultra High Frequency）帯の応答信号を送信するアクティブタグ装置において、電池切れで通信ができなくなることを防ぐ技術が知られている（例えば特許文献１）。
特許文献１に係るアクティブタグ装置は、従来のアクティブタグ装置が備えるＵＨＦ帯で応答信号を送信するための構成だけでなく、ＬＦ帯で応答信号を送信するための構成も備えている。そして、このアクティブタグ装置は、通常は、従来同様、内蔵電池からの電力を用いてＵＨＦ帯で応答信号を送信するが、電池切れの場合には、質問器からのＬＦ帯の質問信号から得た電力を用いてＬＦ帯で応答信号を送信することができる。
【先行技術文献】
【特許文献】
【０００３】
【特許文献１】特開２０１０−１０８０３９号公報
【発明の概要】
【発明が解決しようとする課題】
【０００４】
しかしながら、特許文献１に係るアクティブタグ装置は、ＵＨＦ帯で応答信号を送信するための構成とＬＦ帯で応答信号を送信するための構成との両方を備える必要がある。また、応答信号を受信する装置（例えば、質問器）においても、ＵＨＦ帯で送信された応答信号を受信するための構成とＬＦ帯で送信された応答信号を受信するための構成との両方を備える必要がある。従って、特許文献１の方法は、コスト面において必ずしも好ましい方法とはいえない。
【０００５】
そこで、本発明は係る問題に鑑みてなされたものであり、電池切れ等の場合でも、内蔵電池からの電力供給を受けて送信を行う場合と同じ周波数帯で応答信号を送信することが可能なアクティブタグ装置を含む無線通信システムを提供することを目的とする。
【課題を解決するための手段】
【０００６】
上記課題を解決するために本発明に係る無線通信システムは、第１周波数帯で質問信号の後に電力供給用の電波を送信する質問器と、前記電波の受信直前に受信した前記質問信号に対する応答信号を、前記第１周波数帯とは異なる第２周波数帯で、当該電波から得られる電力を用いて送信するアクティブタグ装置とを含むことを特徴とする。
また、前記質問器は、前記第１周波数帯用の第１送信アンテナと、前記第１送信アンテナから前記質問信号と前記電波との連続送信を繰り返し行う第１送信制御手段とを備え、前記アクティブタグ装置は、前記第１周波数帯用の受信アンテナと、前記第２周波数帯用の第２送信アンテナと、供給される電力を用いて、前記受信アンテナで受信した前記質問信号に対する前記応答信号を前記第２送信アンテナから送信する第２送信制御手段と、前記受信アンテナで受信した前記電波から得られる電力を前記第２送信制御手段に供給する電力供給手段とを備えることとしてもよい。
【０００７】
また、前記質問器の前記第１送信制御手段は、前記連続送信を繰り返し行う第１モードと、前記第１送信アンテナから前記電波を送信することなく前記質問信号の送信を繰り返し行う第２モードとをユーザ操作に応じて切り替えることが可能であり、前記第１モードでは、前記質問信号及び前記電波を、前記第２モードで送信する前記質問信号のレベルよりも低いレベルで送信することとしてもよい。
【０００８】
また、前記アクティブタグ装置は、前記電力供給手段から供給される電力レベルに応じて、当該電力供給手段と内蔵電池とのうち、前記第２送信制御手段に電力を供給する供給元を選択するセレクタを備えることとしてもよい。
上記課題を解決するために本発明に係るアクティブタグ装置は、第１周波数帯用の受信アンテナと、前記第１周波数帯とは異なる第２周波数帯用の送信アンテナと、供給される電力を用いて、前記受信アンテナで受信した質問信号に対する応答信号を前記送信アンテナから送信する送信制御手段と、前記受信アンテナで質問信号に続けて受信した電力供給用の電波から得られる電力を前記送信制御手段に供給する電力供給手段とを備えることを特徴とする。
【発明の効果】
【０００９】
上述の構成を備える本発明に係る無線通信システムにおけるアクティブタグ装置は、電池切れ等の場合でも、内蔵電池からの電力供給を受けて送信を行う場合と同じ周波数帯で応答信号を送信することができる。
【図面の簡単な説明】
【００１０】
【図１】アクティブモード及びパッシブモードの２つの通信モードを説明するための図
【図２】実施の形態に係る入退場管理システム１０００のシステム構成図
【図３】質問器１００Ａ及びアクティブタグ装置２００の主要部の機能構成を示すブロック図
【図４】アクティブタグ装置２００の電力供給回路２０６の構成を示す図
【図５】質問信号及び応答信号のデータ構成を示す図
【図６】質問器１００Ａによる質問信号等の送信制御処理を示すフローチャート
【図７】アクティブタグ装置２００による応答信号の送信制御処理を示すフローチャート
【図８】質問器１００Ａ及びアクティブタグ装置２００の動作を説明するためのタイミングチャート
【発明を実施するための形態】
【００１１】
以下、本発明に係る無線通信システムの一実施形態としての入退場管理システムについて説明する。
≪実施の形態≫
＜概要＞
実施の形態に係る入退場管理システム１０００は、質問器１００Ａ及び１００Ｂが送信する質問信号に呼応してアクティブタグ装置２００が送信する応答信号に含まれる情報を用いて認証を行うことで入退場管理を行うものである。
【００１２】
各質問器（１００Ａ及び１００Ｂ）とアクティブタグ装置２００との間で行われる通信には、アクティブモードとパッシブモードとの２つの通信モードがある。以下、質問器１００Ａとアクティブタグ装置２００とが通信する場合を例に、各通信モードについて説明する。
図１（ａ）は、質問器１００Ａとアクティブタグ装置２００とがアクティブモードで通信する様子を、図１（ｂ）はパッシブモードで通信する様子を示す図である。
【００１３】
アクティブモードは、図１（ａ）に示すように、質問器１００Ａとアクティブタグ装置２００との距離が所定程度（例えば、１．５ｍ程度）離れた状態で通信可能なモードである。また、パッシブモードは、図１（ｂ）に示すように、質問器１００Ａにアクティブタグ装置２００を、例えば数センチ程度まで近づけた状態で通信可能なモードである。
アクティブモードにおいて、各質問器（１００Ａ及び１００Ｂ）は、質問信号をＨｉｇｈレベル（例えば、１２ｄＢｍ程度）でＬＦ帯（３０〜３００ｋＨｚであり、例えば１３５ｋＨｚ）にて繰り返し送信する。また、この質問信号を受信したアクティブタグ装置２００は、内蔵電池２０７からの電力を用いて応答信号をＵＨＦ帯（３００ＭＨｚ〜３ＧＨｚであり、例えば４２６ＭＨｚ）にて送信する。
【００１４】
また、パッシブモードにおいて、各質問器（１００Ａ及び１００Ｂ）は、質問信号と電力供給用電波とを続けてＬｏｗレベル（例えば、６ｄＢｍ程度）でＬＦ帯にて繰り返し送信する。この質問信号及び電力供給用電波を受信したアクティブタグ装置２００は、受信した質問信号及び電力供給用電波から得られる電力を用いて応答信号をＵＨＦ帯にて送信する。つまり、パッシブモードにおいて、アクティブタグ装置２００は、内蔵電池２０７からの電力によらず、質問信号及び電力供給用電波から応答信号を送信するために必要な電力を得て、応答信号をＵＨＦ帯にて送信する。
【００１５】
このように、アクティブタグ装置２００は、ＬＦ帯の質問信号を受信した際に、通信モードによらずＵＨＦ帯にて応答信号を送信するので、特許文献１に係る従来のアクティブタグ装置のように、ＬＦ帯にて応答信号を送信する構成を設ける必要がない。また、アクティブタグ装置２００は、パッシブモードにおいて、ＬＦ帯で受信した質問信号及び電力供給用電波から得られる電力を用いて応答信号を送信するため、内蔵電池２０７の電池切れの際にも、応答信号の送信が可能になる。
【００１６】
＜構成＞
＜入退場管理システム１０００＞
入退場管理システム１０００の構成について説明する。
図２は、入退場管理システム１０００のシステム構成図である。
同図に示すとおり、入退場管理システム１０００は、電気錠１０と、質問器１００Ａ及び１００Ｂと、アクティブタグ装置２００と、ゲートユニット３００と、管理サーバ４００とから構成されている。
【００１７】
質問器１００Ａ及び１００Ｂそれぞれとゲートユニット３００とはケーブル（例えば、ＲＳ−４８５規格に準拠したもの）により接続されている。また、ゲートユニット３００と電気錠１０とはケーブルで接続されており、ゲートユニット３００と管理サーバ４００とはＬＡＮ（Local Area Network）を介して接続されている。
同図では、１台のアクティブタグ装置２００のみを例示しているが、入退場管理システム１０００のユーザそれぞれがアクティブタグ装置を保持しており、入退場管理システム１０００は複数のアクティブタグ装置を備える。
【００１８】
ここで、電気錠１０は、入退場管理システム１０００により入退場を制御されている管理領域に対する入退場を行うための扉等（不図示）に取り付けられている。電気錠１０は、通常はその扉等を施錠しており、ゲートユニット３００からの指示を受けて、その扉等を解錠する。
また、質問器１００Ａ及び１００Ｂは、それぞれ上記管理領域の外側及び内側の上記扉等の付近に設置されている。各質問器（１００Ａ及び１００Ｂ）は、ユーザ操作に応じて通信モードをアクティブモードからパッシブモードに一定時間Ｔｃ（例えば５秒間）切り替えることができ、通信モードに応じた処理を行う。即ち、各質問器（１００Ａ及び１００Ｂ）は、アクティブモードにおいて、自器の識別情報（以下、「質問器ＩＤ」ともいう）を含む質問信号をＨｉｇｈレベルでＬＦ帯にて繰り返し送信する。また、各質問器（１００Ａ及び１００Ｂ）は、パッシブモードにおいて、質問信号に続けて電力供給用電波をＬｏｗレベルでＬＦ帯にて繰り返し送信する。
【００１９】
更に、各質問器（１００Ａ及び１００Ｂ）は、アクティブタグ装置２００からの応答信号を受信し、認証を行わせるために、その応答信号に含まれる送信元のアクティブタグ装置２００の識別情報（以下、「タグＩＤ」ともいう）と自器の質問器ＩＤとをゲートユニット３００に送信する。
アクティブタグ装置２００は、ユーザにより所持され、各質問器（１００Ａ及び１００Ｂ）が送信する質問信号を受信すると、自装置のタグＩＤを含む応答信号をＵＨＦ帯にて送信する。アクティブタグ装置２００は、この応答信号を、アクティブモードにおいては、内蔵電池２０７からの電力を用いて送信し、パッシブモードにおいては、受信した質問信号と、この質問信号に続けて受信した電力供給用電波とから得られる電力を用いて送信する。つまり、パッシブモードにおいて、アクティブタグ装置２００は、内蔵電池２０７からの電力によらず、応答信号をＵＨＦ帯にて送信するので、電池切れでも、応答信号をＵＨＦ帯で送信することができる。
【００２０】
ゲートユニット３００は、質問器（１００Ａ及び１００Ｂ）毎に、管理領域に対して入場或いは退場が可能な各アクティブタグ装置のタグＩＤのリストを保持している。ゲートユニット３００は、各質問器（１００Ａ及び１００Ｂ）より受信した質問器ＩＤとタグＩＤとに基づいて、受信したタグＩＤが示すアクティブタグ装置を保持するユーザの入場或いは退場に係る認証を行う。また、ゲートユニット３００は、認証が成功した場合に、受信した質問器ＩＤが示す質問器（１００Ａ又は１００Ｂ）と対応する扉等に設置された電気錠１０にその扉等の解錠を行わせる。
【００２１】
管理サーバ４００は、入退場管理システム１０００全般の管理を行い、特に、ゲートユニット３００の保持する質問器（１００Ａ及び１００Ｂ）毎の入場或いは退場が可能なタグＩＤのリストを更新する。具体的には、管理サーバ４００は、入退場管理システム１０００の管理者等によるリストの更新を受け付け、更新されたリストをゲートユニット３００に送信する。
【００２２】
以下、各質問器（１００Ａ及び１００Ｂ）及びアクティブタグ装置２００の構成について更に詳しく説明するが、質問器１００Ａ及び１００Ｂの構成は同一であるため、以下では、質問器１００Ａを例に説明する。
図３は、質問器１００Ａ及びアクティブタグ装置２００の主要部の機能構成を示すブロック図である。
【００２３】
＜質問器＞
まず、質問器１００Ａの構成について説明する。
質問器１００Ａは、同図に示すとおり、ＲＳ−４８５インタフェース１０１、ＬＦアンテナ１０２、ＬＦ信号送信回路１０３、ＵＨＦアンテナ１０４、ＵＨＦ信号受信回路１０５、記憶部１０６、ボタン１０７、タイマ１０８及び制御部１０９を備える。なお、質問器１００Ａは、メモリ及びプロセッサを備え、このメモリに記憶されているプログラムをこのプロセッサが実行することにより、制御部１０９の機能が実現される。
【００２４】
ここで、ＲＳ−４８５インタフェース１０１は、ゲートユニット３００とＲＳ−４８５規格に準拠したデータのやり取りを行う機能を有する。
ＬＦ信号送信回路１０３は、ＬＦアンテナ１０２と接続し、フィルタやアンプ等（不図示）を含み、制御部１０９の指示に従って伝達された質問信号をＬＦ帯の無線信号として送信する機能を有する。また、ＬＦ信号送信回路１０３は、特に、パッシブモードである場合に、制御部１０９の指示に従って、質問信号に続けて電力供給用電波（搬送波）をＬＦ帯にて送信する機能を有する。
【００２５】
ＵＨＦ信号受信回路１０５は、ＵＨＦアンテナ１０４と接続し、フィルタやアンプ等（不図示）を含み、アクティブタグ装置２００から送信された応答信号を受信し、制御部１０９へ伝達する機能を有する。
記憶部１０６は、不揮発性メモリ等の記憶媒体により実現され、特に、自器の質問器ＩＤを記憶する機能を有する。なお、この質問器ＩＤは、例えば、システム管理者等により予め設定され、記憶しているものとする。
【００２６】
ボタン１０７は、ユーザが、通信モードをアクティブモードからパッシブモードに切り替える際に押下するものであり、押下された際に、その旨の信号を制御部１０９に送出する機能を有する。
タイマ１０８は、制御部１０９の指示に従って計時を開始し、予め設定されている一定時間Ｔｃ（例えば、５秒間）を計時すると、制御部１０９に通知する機能を有する。
【００２７】
制御部１０９は、機器全体を制御する機能の他、通信モードに応じた処理を行う機能を有する。即ち、制御部１０９は、記憶部１０６に記憶されている自器の質問器ＩＤを含む質問信号を生成し、アクティブモードにおいては、生成した質問信号をＨｉｇｈレベルで、ＬＦ信号送信回路１０３に送信させる。また、パッシブモードにおいては、生成した質問信号に続けて電力供給用電波（搬送波）をＬｏｗレベルでＬＦ信号送信回路１０３に送信させる。このように、制御部１０９は、パッシブモードにおいて、質問信号に続けて電力供給用電波を送信させるものの、Ｌｏｗレベルで送信させるため、消費電力の増加を抑えることができる。そして、アクティブタグ装置２００は、質問信号に続けて電力供給用電波を受信することで、応答信号を送信するために必要な電力を得ることができる。
【００２８】
なお、以下では、アクティブモードである場合に送信される質問信号を「アクティブ質問信号」ともいい、パッシブモードである場合に送信される質問信号を「パッシブ質問信号」ともいう。
また、制御部１０９は、ＵＨＦ信号受信回路１０５を介して自器の質問器ＩＤが含まれる応答信号を受信した際に、認証を行わせるために、その応答信号に含まれるタグＩＤと自器の質問器ＩＤとを、ＲＳ−４８５インタフェース１０１を介してゲートユニット３００に送出する機能を有する。
【００２９】
＜アクティブタグ装置＞
次に、アクティブタグ装置２００の構成について、引き続き図３を用いて説明する。
アクティブタグ装置２００は、同図に示すとおり、ＬＦアンテナ２０１、ＬＦ信号受信回路２０２、ＵＨＦアンテナ２０３、ＵＨＦ信号送信回路２０４、記憶部２０５、電力供給回路２０６、内蔵電池２０７、セレクタ２０８及び制御部２０９を備える。なお、アクティブタグ装置２００は、メモリ及びプロセッサを備え、このメモリに記憶されているプログラムをこのプロセッサが実行することにより、制御部２０９の機能が実現される。
【００３０】
ＬＦ信号受信回路２０２は、ＬＦアンテナ２０１と接続し、フィルタ、アンプ等（不図示）を含み、各質問器（１００Ａ、１００Ｂ）から受信した質問信号を制御部２０９に伝達する機能を有する。
ＵＨＦ信号送信回路２０４は、ＵＨＦアンテナ２０３と接続し、フィルタ、アンプ等（不図示）を含み、制御部２０９から伝達された応答信号をＵＨＦ帯の無線信号として送信する機能を有する。
【００３１】
記憶部２０５は、不揮発性メモリ等の記憶媒体により実現され、自装置のタグＩＤを記憶する機能を有する。なお、自装置のタグＩＤは、例えば、システム管理者等により予め設定され、記憶しているものとする。
電力供給回路２０６は、質問器１００Ａからの質問信号及び電力供給用電波によってＬＦアンテナ２０１に誘起された起電力による交流電流を、一定電圧（例えば３Ｖ）の直流電流に変換し、セレクタ２０８へ出力する回路である。なお、電力供給回路２０６は、図４に示すように、ダイオードＤ１〜Ｄ４からなるブリッジ整流回路、平滑コンデンサＣ１及び定電圧にするためのツェナーダイオードＤ５から構成される。各素子の動作は、周知なので、ここでは説明を省略する。
【００３２】
内蔵電池２０７は、例えばコイン形リチウム電池である。
セレクタ２０８は、スイッチ及び比較回路（不図示）を含み、電力供給回路２０６からの出力電力のレベルに応じて、アクティブタグ装置２００の各部に対する電力供給元をスイッチにより制御する機能を有する。即ち、セレクタ２０８は、電力供給回路２０６からの出力電力のレベルが予め設定されている所定値以上である場合には電力供給回路２０６から、上記所定値未満である場合には内蔵電池２０７から、アクティブタグ装置２００の各部に電力を供給するようスイッチを切り替える。
【００３３】
上記所定値は、以下のようにして決定することができる。即ち、図１（ｂ）に示すように、質問器１００Ａとアクティブタグ装置２００との距離が数センチ程度まで近づいた状態でアクティブタグ装置２００が質問器１００Ａからパッシブ質問信号を受信した場合に電力供給回路２０６からの出力電力のレベルを、上記所定値とすることができる。
制御部２０９は、機器全体を制御する機能の他、受信した質問信号に含まれている質問器ＩＤと、記憶部２０５に記憶されている自装置のタグＩＤとを含む応答信号を生成しＵＨＦ信号送信回路２０４を介して送信する機能を有する。
【００３４】
＜データ＞
以下、入退場管理システム１０００において、使用されるデータについて説明する。
＜質問信号＞
まず、質問器１００Ａが生成し送信する質問信号について説明する。
図５（ａ）は、質問信号のデータ構成を示す図である。なお、アクティブ質問信号とパッシブ質問信号とは、送信する際の電力レベルが異なるだけで、そのデータ構成は同一である。
【００３５】
質問信号は、同図に示すように、ＣＷ（Continuous  Wave）２１、ＵＷ（Unique  Word）２２、質問器ＩＤ２３及びＣＲＣ２４から構成される。
ここで、ＣＷ２１は、質問信号のデータの始まりを示す無変調連続波であり、ＵＷ２２は、いわゆるフレーム同期信号である。
質問器ＩＤ２３は、質問信号の送信元である質問器（この例では１００Ａ）の識別情報である。また、ＣＲＣ２４は、質問信号を受信したアクティブタグ装置２００が質問信号に誤りが発生しているか否かを検出するためのデータである。
【００３６】
＜応答信号＞
次に、アクティブタグ装置２００が生成し送信する応答信号について説明する。
図５（ｂ）は、応答信号のデータ構成を示す図である。
応答信号は、同図に示すように、ＣＷ３１、ＵＷ３２、質問器ＩＤ３３、タグＩＤ３４及びＣＲＣ３５から構成される。
【００３７】
ここで、ＣＷ３１は、応答信号のデータの始まりを示す無変調連続波であり、ＵＷ３２は、いわゆるフレーム同期信号である。
質問器ＩＤ３３は、受信した質問信号に含まれていた質問器（１００Ａ又は１００Ｂ）の識別情報であり、タグＩＤ３４は、自装置の識別情報である。
また、ＣＲＣ３５は、応答信号を受信した質問器（１００Ａ又は１００Ｂ）が応答信号に誤りが発生しているか否かを検出するためのデータである。
【００３８】
＜動作＞
次に、上記構成を備え、上記データを取り扱う入退場管理システム１０００の動作を説明する。
＜質問器＞
まず、質問器１００Ａの動作について説明する。
【００３９】
図６は、質問器１００Ａによる各モードにおける質問信号等の送信制御処理を示すフローチャートである。
同図に示すように、質問器１００Ａの制御部１０９は、ボタン１０７が押下されたかを判定し（ステップＳ１）、ボタンが押下された場合には（ステップＳ１：ＹＥＳ）、タイマ１０８に一定時間Ｔｃの計時を開始させる（ステップＳ２）。また、制御部１０９は、質問信号に続けて電波供給用の電波を、送信電力値がＬｏｗレベルになるように、ＬＦ信号送信回路１０３を介して送信する（ステップＳ３）。
【００４０】
制御部１０９は、ステップＳ３で質問信号（パッシブ質問信号）を送信後、所定時間（例えば、２００ｍｓ）以内に、ＵＨＦ信号受信回路１０５を介して、自器の質問器ＩＤを含む応答信号を受信したか否かを判定する（ステップＳ４）。制御部１０９は、自器の質問器ＩＤを含む応答信号を受信した場合には（ステップＳ４：ＹＥＳ）、認証を行わせるために、この応答信号に含まれていた自器の質問器ＩＤ及びタグＩＤを、ＲＳ−４８５インタフェース１０１を介してゲートユニット３００に送信する（ステップＳ５）。なお、ゲートユニット３００では、受信した質問器ＩＤ及びタグＩＤに基づいて認証が行われ、その認証結果に応じて、電気錠１０が解錠されることになる。
【００４１】
また、制御部１０９は、タイマ１０８からの通知に基づいて、一定時間Ｔｃを経過したかを判定する（ステップＳ６）。制御部１０９は、一定時間Ｔｃを経過するまで（ステップＳ６：ＮＯ）、ステップＳ３〜Ｓ６の処理を繰り返し、一定時間Ｔｃを経過すると（ステップＳ６：ＹＥＳ）、再びステップＳ１から処理を行う。
制御部１０９は、ステップＳ１において、ボタン１０７が押下されなかった場合に（ステップＳ１：ＮＯ）、質問信号を、送信電力値がＨｉｇｈレベルになるように、ＬＦ信号送信回路１０３を介して送信する（ステップＳ７）。即ち、制御部１０９は、ステップＳ３の処理とは異なり、質問信号（アクティブ質問信号）のみを送信し、電力供給用電波については送信しない。
【００４２】
その後、制御部１０９は、上記ステップＳ４、Ｓ５と同様の処理を行う（ステップＳ８、Ｓ９）。即ち、制御部１０９は、ステップＳ７で質問信号（アクティブ質問信号）を送信後、所定時間以内に自器の質問器ＩＤを含む応答信号を受信した場合に（ステップＳ８：ＹＥＳ）、この応答信号に含まれていた自器の質問器ＩＤ及びタグＩＤをゲートユニット３００に送信し（ステップＳ９）、ステップＳ１から再び処理を行う。
【００４３】
＜アクティブタグ装置＞
次に、アクティブタグ装置２００の動作について説明する。
図７は、アクティブタグ装置２００による応答信号の送信制御処理を示すフローチャートである。
同図に示す応答信号の送信制御処理は、アクティブタグ装置２００の電源スイッチ（不図示）がＯＮにされると開始され、特に図示していないが、電源がＯＦＦになると終了される。
【００４４】
アクティブタグ装置２００のセレクタ２０８は、まずは内蔵電池２０７からアクティブタグ装置２００の各部への電力供給を行う（ステップＳ１１）。そして、セレクタ２０８は、電力供給回路２０６からの出力電力のレベルが所定値以上である場合に（ステップＳ１２：ＹＥＳ）、電力供給回路２０６からアクティブタグ装置２００の各部への電力供給を行うよう切り替える（ステップＳ１３）。
【００４５】
続いて、制御部２０９は、セレクタ２０８を介して供給される電力を用いて以下の動作を行う。即ち、制御部２０９は、ＬＦ信号受信回路２０２を介して質問信号を受信した場合には（ステップＳ１４：ＹＥＳ）、受信した質問信号に含まれていた質問器ＩＤと、記憶部２０５に記憶されている自装置のタグＩＤとを含めた応答信号を生成し、ＵＨＦ信号送信回路２０４を介して送信する（ステップＳ１５）。
【００４６】
一方、制御部２０９は、質問信号を受信しなかった場合には（ステップＳ１４：ＮＯ）、応答信号の送信を行うことなく、アクティブタグ装置２００は、再びステップＳ１１から処理を行う。
＜具体例＞
質問器１００Ａ及びアクティブタグ装置２００の動作を、具体例を用いて説明する。
【００４７】
図８は、質問器１００Ａ及びアクティブタグ装置２００における動作を説明するためのタイミングチャートである。
以下では、アクティブタグ装置２００を保持するユーザは、アクティブタグ装置２００が電池切れの状態にあることを認識しているものとする。なお、アクティブタグ装置２００を保持するユーザは、管理領域に対する入退場の権限があるにもかかわらず、例えば、図１（ａ）に示すように、質問器１００Ａとの距離がある程度離れた位置からの認証ができなくなったときに、電池切れの状態にあることを認識することができる。
【００４８】
また、図８に示す時刻Ｔ１において、アクティブタグ装置２００を保持するユーザは、管理領域の外にいて、質問器１００Ａのボタン１０７を押下し、図１（ｂ）に示すように、アクティブタグ装置２００を質問器１００Ａにかざしたものとする。
質問器１００Ａは、ユーザによるボタン１０７の押下を受けて、時刻Ｔ１においてパッシブ質問信号の送信を開始し、このパッシブ質問信号の送信に続けて、時刻Ｔ２において電波供給用電波の送信を開始する（図６のステップＳ１：ＹＥＳ、Ｓ２、Ｓ３）。なお、図８に示すように、質問器１００Ａは、このパッシブ質問信号及び電波供給用電波を、アクティブ質問信号の送信電力値Ｐ２（Ｈｉｇｈレベル）より小さい送信電力値Ｐ１（Ｌｏｗレベル）で送信する。
【００４９】
この例では、アクティブタグ装置２００は、図１（ｂ）に示すように、質問器１００Ａとの距離が数センチ程度まで近づいた位置にあるため、質問器１００Ａから送信されたパッシブ質問信号により、電力供給回路２０６からの出力電力のレベルは、所定値以上となる。従って、アクティブタグ装置２００のセレクタ２０８は、各部への電力供給元を内蔵電池２０７から電力供給回路２０６に切り替え、制御部２０９は、時刻Ｔ２において、ＵＨＦ信号送信回路２０４を介して、受信したパッシブ質問信号に対する応答信号の送信を開始する（図７のステップＳ１１、Ｓ１２：ＹＥＳ、Ｓ１３、Ｓ１４：ＹＥＳ、Ｓ１５）。つまり、電池切れの状態にあるアクティブタグ装置２００は、質問器１００Ａからのパッシブ質問信号及び電波供給用電波から得られた電力により、応答信号をＵＨＦ帯により送信する。
【００５０】
そして、質問器１００Ａは、この応答信号を受信すると、この応答信号に含まれている質問器１００Ａの質問器ＩＤとアクティブタグ装置２００のタグＩＤとをゲートユニット３００に送信する（図６のステップＳ４：ＹＥＳ、Ｓ５）。なお、ゲートユニット３００は、受信した質問器１００Ａの質問器ＩＤ及びアクティブタグ装置２００のタグＩＤを用いて、認証を行い、電気錠１０を解錠する。
【００５１】
また、時刻Ｔ３では、まだ時刻Ｔ１から一定時間Ｔｃを経過していないので、上記時刻Ｔ１のときと同様に、質問器１００Ａはパッシブ質問信号の送信を開始し、時刻Ｔ４において電波供給用電波の送信を開始する（図６のステップＳ６：ＮＯ、Ｓ３）。アクティブタグ装置２００も、上記時刻Ｔ２のときと同様に、時刻Ｔ４において応答信号の送信を開始する（図７のステップＳ１１、Ｓ１２：ＹＥＳ、Ｓ１３、Ｓ１４：ＹＥＳ、Ｓ１５）。
【００５２】
そして、時刻Ｔ１から一定時間Ｔｃを経過した時刻Ｔ５において、質問器１００Ａは、アクティブ質問信号の送信を開始する（図６のステップＳ６：ＹＥＳ、Ｓ１：ＮＯ、Ｓ７）。なお、この例では、既に電気錠１０が解錠されたため、アクティブタグ装置２００を保持するユーザが、管理領域に入場するために、管理領域の内部に向かって移動しているものとする。その結果、アクティブタグ装置２００の電力供給回路２０６からの出力電力のレベルは所定値未満となり、質問信号を受信できなかったものとする（図７のステップＳ１１、Ｓ１２：ＮＯ、Ｓ１４：ＮＯ）。従って、質問器１００Ａはアクティブタグ装置２００からの応答信号を受信しないので（図６のステップＳ８：ＮＯ）、以降、再びボタン１０７が押下されるまで（図６のステップＳ１：ＮＯ）、アクティブ質問信号の送信を繰り返すことになる。
【００５３】
＜補足＞
以上、本発明に係る無線通信システム及びアクティブタグ装置を、実施の形態に基づいて説明したが、以下のように変形することも可能であり、本発明は上述した実施の形態で示したとおりの入退場管理システム１０００及びアクティブタグ装置２００に限られないことは勿論である。
【００５４】
（１）実施の形態では、図８に示すように、質問器１００Ａが、パッシブモードにおいて、質問信号と電力供給用電波との連続送信を繰り返し行うものとして説明した。しかしながら、質問信号と電力供給用電波とを連続して送信することは必須ではなく、質問信号の送信後に、電力供給用電波を送信すれば足りる。即ち、質問信号の送信と電力供給用電波の送信との間に多少時間が空いてもよい。
【００５５】
また、実施の形態では、図８に示すように、アクティブタグ装置２００が、電力供給用電波の受信開始時刻Ｔ２に、その受信直前に受信した質問信号に対する応答信号の送信を開始する例を説明した。しかしながら、応答信号の送信開始のタイミングは、電力供給回路２０６のコンデンサＣ１の容量に応じて適宜変更でき、例えば、電力供給用電波の受信完了までに、その直前に受信した質問信号に対する応答信号の送信を開始してもよい。即ち、上記図８の例でいえば、電力供給用電波の受信開始時刻Ｔ２ちょうどに応答信号の送信を開始しなくてもよい。
【００５６】
（２）実施の形態では、質問器１００Ａ及び１００Ｂが、ＬＦ帯で質問信号の後に電力供給用電波を送信し、アクティブタグ装置２００が、ＵＨＦ帯で応答信号を送信する例を説明した。しかしながら、このＬＦ帯は、本発明に係る第１周波数帯の一例であり、ＵＨＦ帯は、本発明に係る第２周波数帯の一例にすぎず、第１周波数帯はＬＦ帯に限られず、第２周波数帯はＵＨＦ帯に限られない。
【００５７】
また、実施の形態では、入退場管理システム１０００を例として説明したが、本発明に係る無線通信システムは、例えば、所在管理システムなど他のシステムに使われるものとしてもよい。
また、実施の形態では、入退場管理システム１０００は、管理領域の内側に設置された質問器１００Ｂを含むものとして説明したが、例えば、管理領域からの退場に係る認証を行わない運用が可能である場合、つまり、管理領域への入場に係る認証のみを行う運用を行う場合には、質問器１００Ｂを含まない構成にしてもよい。
【００５８】
また、実施の形態では、１つの管理領域に対する入退場を管理する場合を例にして説明したが、例えば、管理領域が複数ある場合にも、本発明は適用することができる。この場合、１台のゲートユニットが各管理領域に係る認証を行うようにしてもよいし、複数のゲートユニットが各管理領域に係る認証を分担するようにしてもよい。
（３）実施の形態では、アクティブタグ装置２００が、受信した質問信号及び電力供給用電波とから得られた電力を用いて応答信号を送信する例を説明した。しかしながら、受信した質問信号から得られた電力を用いることは必須ではなく、電力供給用電波から得られた電力だけを用いて応答信号を送信するようにアクティブタグ装置２００を変形してもよい。なお、この場合において、この変形に係るアクティブタグ装置が応答信号を送信するために必要な電力量が得られるように、質問器１００Ａ、１００Ｂから電力供給用電波が送信される時間長を調整してもよい。
【００５９】
（４）実施の形態では、質問器１００Ａ、１００Ｂが、パッシブモードでは、質問信号及び電力供給用電波を、アクティブモードで送信する質問信号のレベル（Ｈｉｇｈレベル）よりも低いレベル（Ｌｏｗレベル）で送信する例を説明した。しかしながら、パッシブモードで質問信号及び電力供給用電波をＬｏｗレベルで送信することは必須ではなく、質問信号及び電力供給用電波をＨｉｇｈレベルで送信するよう、質問器１００Ａ、１００Ｂを変形してもよい。即ち、質問器１００Ａ、１００Ｂが送信する質問信号のレベルは、パッシブモードであるかアクティブモードであるかによらず、Ｈｉｇｈレベルであってもよく、またパッシブモードで送信する電力供給用電波のレベルも、質問信号と同様にＨｉｇｈレベルであってもよい。但し、消費電力を抑える観点からは、質問信号及び電力供給用電波をＬｏｗレベルで送信するほうが望ましい。
【００６０】
（５）実施の形態では、図３に示すように、質問器１００ＡのＬＦ信号送信回路１０３とＵＨＦ信号受信回路１０５とを別々の機能ブロックとして記載した。また、アクティブタグ装置２００のＬＦ信号受信回路２０２とＵＨＦ信号送信回路２０４とについても別々の機能ブロックとして記載した。しかしながら、質問器１００ＡのＬＦ信号送信回路１０３とＵＨＦ信号受信回路１０５とを１つの無線ＩＣ（Integrated Circuit）により実現してもよいし、別個の無線ＩＣにより実現しても勿論よい。同様に、アクティブタグ装置２００のＬＦ信号受信回路２０２とＵＨＦ信号送信回路２０４とを１つの無線ＩＣにより実現してもよいし、別個の無線ＩＣにより実現しても勿論よい。
【００６１】
（６）実施の形態では、パッシブモードの利用例として、アクティブタグ２００が電池切れの場合を例に説明した。しかしながら、パッシブモードは、セキュリティレベルの高い管理領域の入退場管理や、夜間における管理領域の入退場管理にも利用できる。
パッシブモードを、セキュリティレベルの高い管理領域の入退場管理に利用する場合、この管理領域へ入場するための扉等の内外に設置されている各質問器のうち、少なくとも外側に設置されている質問器は、ボタン１０７のユーザ操作によらず、常時パッシブモードとして動作させる必要がある。また、パッシブモードを、夜間における管理領域の入退場管理に利用する場合、この管理領域へ入場するための扉等の内外に設置されている各質問器のうち、少なくとも外側に設置されている質問器は、夜間に自動的に通信モードをパッシブモードに変更して動作させる必要がある。また、電池切れでないアクティブタグ装置２００は、内蔵電池２０７からの電力を用いて、質問信号を受信すると応答信号を送信できてしまうため、アクティブタグ装置２００を保持するユーザが意図しない扉等の解錠が生じ得る。従って、ユーザが単に管理領域の扉等の前を通りすぎただけで入場の意図がない場合には扉等が解錠されないように、質問器と近接した状態で質問信号を受信した場合に限って応答信号を送信するようにアクティブタグ装置２００を変形する必要がある。
【００６２】
以下、高セキュリティレベルの管理領域の入退場管理や、夜間における管理領域の入退場管理にも利用可能な質問器（以下、「変形質問器」という）とアクティブタグ装置（以下、「変形アクティブタグ装置」という）とについて説明する。
変形質問器は、システム管理者等により予め設定された動作モードに基づいて動作する。ここで、動作モードには、３つのモードがある。第１の動作モードは、実施の形態で説明したように、ボタン１０７へのユーザ操作により、通信モードをアクティブモードからパッシブモードに一定時間Ｔｃ切り替える動作モードである。第２の動作モードは、常時通信モードをパッシブモードとする動作モードである。また、第３の動作モードは、システム管理者等により指定された時間帯（例えば、２２：００〜６：００）では、通信モードをパッシブモードとし、それ以外の時間帯では、通信モードをアクティブモードとする動作モードである。なお、第３の動作モードにおいて、システム管理者等により指定された時間帯以外であるときには、ボタン１０７へのユーザ操作により、通信モードをアクティブモードからパッシブモードに一定時間Ｔｃ切り替えることができるものとする。また、第３の動作モードにおける時間帯の指定は、システム管理者等が、任意の時間帯を指定できるようにしてもよいし、予め用意されている複数の時間帯候補の中から1又は複数の時間帯候補を選択できるようにしてもよい。
【００６３】
また、変形質問器は、現在の通信モードを示す情報（以下、「モード情報」という）を質問信号に含ませて送信する。即ち、上記第１の動作モードで動作する場合、変形質問器は、図６に示す質問信号等の送信制御処理を行うが、特に、ステップＳ３で送信する質問信号には、パッシブモードであることを示すモード情報を含め、ステップＳ７で送信する質問信号には、アクティブモードであることを示すモード情報を含める。また、上記第２の動作モードで動作する場合、変形質問器は、図６に示す質問信号等の送信制御処理（ステップＳ１〜Ｓ９）に代えて、図６のステップＳ３〜Ｓ５の処理を繰り返し行い、特に、ステップＳ３で送信する質問信号には、パッシブモードであることを示すモード情報を含める。また、上記第３の動作モードで動作する場合、変形質問器は、システム管理者等により指定された時間帯においては、上記第２の動作モードと同一の動作を行い、システム管理者等により指定された時間帯以外では、上記第１の動作モードと同一の動作を行う。
【００６４】
このように、変形質問器は、動作モードやユーザ操作により定まる現在の通信モードを示すモード情報を質問信号に含めて送信するので、変形アクティブタグ装置は、この質問信号を受信することで、現在の通信モードを認識することが可能になる。
この変形アクティブタグ装置は、質問信号を受信した際に、この質問信号に、アクティブモードであることを示すモード情報が含まれていた場合、及びパッシブモードであることを示すモード情報が含まれていた場合において電力供給回路２０６からの出力電力のレベルが所定値以上であるときに、応答信号を送信する。
【００６５】
具体的には、変形アクティブタグ装置の応答信号の送信制御処理は、図７に示す実施の形態に係るアクティブタグ装置２００の応答信号の送信制御処理を以下のように変形することで実現できる。即ち、図７のステップＳ１４の判定処理を、パッシブモードであることを示すモード情報が含まれた質問信号を受信したか否かの判定処理に変更する。また、図７のステップＳ１２で、電力供給回路２０６からの出力電力のレベルが所定値未満である場合に（ステップＳ１２：ＮＯ）、質問信号を受信したか否かの判定処理を行うように変形し、この判定処理で質問信号を受信した場合には、ステップＳ１５の応答信号の送信処理に進み、質問信号を受信しなかった場合には、ステップＳ１１から再び処理を行うように変形する。
【００６６】
（７）実施の形態では、アクティブタグ装置２００を保持するユーザは、管理領域に対する入退場の権限があるにもかかわらず、アクティブモードでの認証ができなくなったときに、電池切れの状態にあることを認識することができるものとして説明した。しかしながら、これは一例であり、例えば、アクティブタグ装置２００のセレクタ２０８が内蔵電池２０７の電力値に基づいて電池切れを検出し、ＬＥＤ（Light Emitting Diode）やＬＣＤ等により電池切れをユーザに通知できるようにしてもよい。
【００６７】
（８）実施の形態に係る入退場管理システム１０００に、上記（１）〜（７）の一部又は全部の変形を組み合わせて適用してもよい。
（９）以下、更に本発明の一実施形態に係る無線通信システム及びアクティブタグ装置の構成及びその変形例と各効果について説明する。
（ａ）本発明の一実施形態に係る無線通信システムは、第１周波数帯で質問信号の後に電力供給用の電波を送信する質問器と、前記電波の受信直前に受信した前記質問信号に対する応答信号を、前記第１周波数帯とは異なる第２周波数帯で、当該電波から得られる電力を用いて送信するアクティブタグ装置とを含む。
【００６８】
ここで、第１周波数帯とは、例えば実施の形態のＬＦ帯のことであり、第２周波数帯とは、例えば実施の形態のＵＨＦ帯のことである。
一般的なアクティブタグ装置は、第１周波数帯の質問信号を受信すると、内蔵電池からの電力供給を受けて第２周波数帯の応答信号を送信するというものである。本発明の一実施形態に係るアクティブタグ装置は、内蔵電池からの電力供給を受けて応答信号を送信する場合と同じ第２周波数帯で、質問器から第１周波数帯で送信された電力供給用の電波から得られる電力を用いて応答信号を送信することができる。
【００６９】
即ち、本発明の一実施形態に係るアクティブタグ装置は、特許文献１に係る従来のアクティブタグ装置のように、第１周波数帯の電波から得られる電力を用いて応答信号を送信するために、わざわざ第１周波数帯で応答信号を送信する構成を備えなくても済む。また、この応答信号を受信する装置（例えば質問器）についても、第２周波数帯で送信された応答信号を受信する構成を備えれば足りる。このように、本発明の一実施形態に係る無線通信システムは、コスト面でメリットがある。
【００７０】
（ｂ）また、図３に示すように、前記質問器は、前記第１周波数帯用の第１送信アンテナと、前記第１送信アンテナから前記質問信号と前記電波との連続送信を繰り返し行う第１送信制御手段とを備え、前記アクティブタグ装置は、前記第１周波数帯用の受信アンテナと、前記第２周波数帯用の第２送信アンテナと、供給される電力を用いて、前記受信アンテナで受信した前記質問信号に対する前記応答信号を前記第２送信アンテナから送信する第２送信制御手段と、前記受信アンテナで受信した前記電波から得られる電力を前記第２送信制御手段に供給する電力供給手段とを備えることとしてもよい。
【００７１】
ここで、第１送信アンテナは、例えば実施の形態の質問器１００Ａが備えるＬＦアンテナ１０２のことであり、第１送信制御手段とは、例えば実施の形態の質問器１００Ａが備えるＬＦ信号送信回路１０３及び制御部１０９のことである。また、受信アンテナ及び第２送信アンテナとは、例えば実施の形態のアクティブタグ装置２００が備えるＬＦアンテナ２０１及びＵＨＦアンテナ２０３のことである。また、第２送信制御手段とは、例えば実施の形態のアクティブタグ装置２００が備えるＵＨＦ信号送信回路２０４及び制御部２０９のことである。また、電力供給手段とは、例えば実施の形態のアクティブタグ装置２００が備える電力供給回路２０６のことである。
【００７２】
この構成により、アクティブタグ装置は、質問器から受信した第１周波数帯の電波から得られる電力を用いて、第２周波数帯で応答信号を送信することができる。
（ｃ）また、前記質問器の前記第１送信制御手段は、前記連続送信を繰り返し行う第１モードと、前記第１送信アンテナから前記電波を送信することなく前記質問信号の送信を繰り返し行う第２モードとをユーザ操作に応じて切り替えることが可能であり、前記第１モードでは、前記質問信号及び前記電波を、前記第２モードで送信する前記質問信号のレベルよりも低いレベルで送信することとしてもよい。
【００７３】
ここで、第１モードとは、例えば実施の形態のパッシブモードのことであり、第２モードとは、例えば実施の形態のアクティブモードのことである。また、ユーザ操作とは、例えば実施の形態の質問器１００Ａのボタン１０７の押下のことである。
この構成により、質問器は、第１モードで動作する場合にも、消費電力を抑えることができる。
【００７４】
（ｄ）また、前記アクティブタグ装置は、前記電力供給手段から供給される電力レベルに応じて、当該電力供給手段と内蔵電池とのうち、前記第２送信制御手段に電力を供給する供給元を選択するセレクタを備えることとしてもよい。
この構成により、アクティブタグ装置と質問器との間の距離により、電力供給手段から第２送信制御手段に供給される電力レベルが異なることになるため、このアクティブタグ装置のユーザは、上記距離を調整することで、応答信号を送信する際に用いる電力の供給元を選択できる。例えば、アクティブタグ装置を質問器に所定程度近づけた場合には電力供給手段を、所定程度離した場合には内蔵電池を、電力の供給元として選択できる。
【００７５】
（ｅ）本発明の一実施形態に係るアクティブタグ装置は、第１周波数帯用の受信アンテナと、前記第１周波数帯とは異なる第２周波数帯用の送信アンテナと、供給される電力を用いて、前記受信アンテナで受信した質問信号に対する応答信号を前記送信アンテナから送信する送信制御手段と、前記受信アンテナで質問信号に続けて受信した電力供給用の電波から得られる電力を前記送信制御手段に供給する電力供給手段とを備える。ここで、受信アンテナ及び送信アンテナは、例えば実施の形態のアクティブタグ装置２００が備えるＬＦアンテナ２０１及びＵＨＦアンテナ２０３のことである。また、送信制御手段とは、例えば実施の形態のアクティブタグ装置２００が備えるＵＨＦ信号送信回路２０４及び制御部２０９のことである。また、電力供給手段とは、例えば実施の形態のアクティブタグ装置２００が備える電力供給回路２０６のことである。
【００７６】
この構成により、アクティブタグ装置は、外部から受信した第１周波数帯の電波から得られる電力を用いて、第２周波数帯で応答信号を送信することができる。
【符号の説明】
【００７７】
１００Ａ、１００Ｂ    質問器
１０２    ＬＦアンテナ
１０３    ＬＦ信号送信回路
１０９、２０９    制御部
２００    アクティブタグ装置
２０１    ＬＦアンテナ
２０２    ＬＦ信号受信回路
２０３    ＵＨＦアンテナ
２０４    ＵＨＦ信号送信回路
２０６    電力供給制御部
２０７    内蔵電池
２０８    セレクタ
１０００    入退場管理システム
【図１】
2013118426.tif 000003
【図２】
2013118426.tif 000004
【図３】
2013118426.tif 000005
【図４】
2013118426.tif 000006
【図５】
2013118426.tif 000007
【図６】
2013118426.tif 000008
【図７】
2013118426.tif 000009
【図８】
2013118426.tif 000010